(57)【要約】【課題】停電時の装置の保護と停電後の装置の復帰の両者を満たし、停電時の装置の保護と停電後の装置の復帰、および、メモリに格納中の画像データの消失防止を実現させる。【解決手段】交流リアクトルに蓄えられていたエネルギーを消費させるために、回路ルートを切り替える手段と、回路電流値を制限する制限素子と、エネルギー消費する回路から構成される保護回路により、交流リアクトル及び直流変換回路の電力変換用半導体素子を保護するとともに、直流変換回路に接続された、直流電圧を貯えるコンデンサの電圧を前記操作卓の電源部に接続する手段と、電流値を制限する制限素子から構成される回路により、取得した画像データの消失を防止する。【選択図】        図１
2004241288.tif 000002
【特許請求の範囲】
【請求項１】
交流電源端子に電源が供給されている時に導通する遮断器が直列接続され、遮断器には電流制限用交流リアクトルが直列接続され、交流リアクトルには整流かつ昇圧することで直流電圧を貯えるコンデンサからなる直流変換回路と、この直流変換回路の出力電圧を高周波の交流に変換するインバータ回路と、このインバータ回路の出力電圧を昇圧する高電圧変圧器と、この高電圧変圧器の出力電圧を整流する高電圧整流回路を含み、この高電圧整流回路の出力電圧である直流高電圧を高電圧ケーブルを介してＸ線管に印加しＸ線を放射するＸ線高電圧装置において、
前記、直流変換回路への入力電圧である交流電源が瞬時、または長期間停電した場合、交流リアクトルに蓄えられていたエネルギーを消費させるために、回路ルートを切り替える手段と、回路電流値を制限する制限素子と、エネルギー消費する回路から構成される保護回路により、交流リアクトル及び直流変換回路の電力変換用半導体素子を保護する機能を具備したＸ線高電圧装置。
【請求項２】
上記直流変換回路に接続された直流電圧を貯えるコンデンサの電圧を前記表示装置の電源部に接続する手段と、電流値を制限する制限素子から構成される回路と、取得する画像データの表示装置を含み、前記直流変換回路への入力電圧である交流電源が瞬時または長期間停電した場合に取得した画像データの消失を防止するよう上記コンデンサの電圧を上記制限素子経由で上記表示装置に供給するようにした請求項１のＸ線高電圧装置。
【発明の詳細な説明】
【０００１】
【発明の属する技術分野】
本発明は、商用の交流電源を直流変換回路で直流に変換し、その直流をインバータ回路を用いて高周波の交流に変換し、その出力電圧を高電圧変圧器で昇圧し、高電圧整流回路にて整流して直流の高電圧を発生し、これをＸ線管に印加してＸ線を放射するＸ線高電圧装置に係わり、特に交流電源を受電しこれを整流かつ昇圧する直流変換回路を具備するＸ線高電圧装置に関する。
【０００２】
【従来の技術】
Ｘ線高電圧装置は、商用の交流電源から交流電圧を交流リアクトルを経由させ、サイリスタまたはダイオードで構成された全波整流回路を有するコンバータ回路により直流に変換し、これを平滑コンデンサで平滑してインバータ回路に入力する。
また、トランジスタ、ＭＯＳＦＥＴ、ＩＧＢＴ等の自己消弧型の半導体素子で構成されたチョッパー回路や高力率コンバータ回路を用いて昇圧し整流し、これを平滑コンデンサで平滑してインバータ回路に入力する。
【０００３】
このインバータ回路は、例えば［特許文献１］に記載されているように共振コンデンサと高電圧変圧器の漏れインダクタンスとの共振現象を利用してインバータ回路の位相差や周波数を制御することにより、負荷であるＸ線管に直流の高電圧（以下、管電圧と呼ぶことにする）を印加するものである。すなわち、インバータ回路から出力された高周波の交流電圧を前記高電圧変圧器で昇圧し、これを高電圧整流回路で直流に変換して高電圧ケーブルを介してＸ線管に印加する。インバータ回路は実際の管電圧を検出し、これと目標値をインバータ制御回路に入力してインバータの位相差や周波数を求めこれを制御する。
【０００４】
管電流は、フィラメント加熱回路によってＸ線管のフィラメント温度を調節することで制御されている。管電圧の検出方法は、高電圧抵抗と高電圧コンデンサからなる並列接続体をＸ線管と並列に接続して、高電圧である管電圧を分圧し低電圧にして検出している。また、実際の管電流を検出し設定値と比較するフィードバック制御を行うことで、より精度の高い管電流制御をしている。
【０００５】
また、保護回路としては、［特許文献２］に記載されているように、直流変換回路に接続されている平滑用コンデンサの電圧を検出し、充電電圧が定格を超えないようにしている過電圧保護、［特許文献３］に記載されているように、直流変換回路に接続されている交流リアクトル、直流変換回路及びインバータ回路を構成している電力用半導体素子に流れる電流を検出し、その電流が交流リアクトル及び電力用半導体素子の定格を超えないようにしている過電流保護がある。
停電時の保護回路としては、［特許文献４］に記載されるように、電源電圧が供給されないことを検出するとバッテリー等の内部直流電源に切り替えることで負荷への電力を供給してるが、交流リアクトルや直流変換回路は保護されていない。
また、交流入力側にヒューズ等の遮断器を設け、交流リアクトルや直流変換回路の定格電流値を超える前に回路を遮断する方法が採られている。
【０００６】
【特許文献１】
特開昭６３−１９０５５６号公報
【特許文献２】
特開平０７−０５９２５５号公報
【特許文献３】
特開２０００−０５５９４２号公報
【特許文献４】
特開２００１−１７８０１６号公報
【０００７】
【発明が解決しようとする課題】
従来技術で述べたように、停電時の交流リアクトルや直流変換回路は過電流により素子が破壊するのを阻止するためにヒューズ等の遮断器を設け保護されている。
瞬停の場合は数ｍｓ後に装置が復帰するので、制御系が過電流を検出して装置を停止する。これにより半導体素子の破壊には至らない。
しかし、停電（数秒以上）の場合には電流の流れるルートがないために、この電流が半導体素子を破壊する。そのため、ヒューズ等で回路を遮断することで保護していた。
【０００８】
停電後はヒューズが断線しているため、装置を再動作させるためにはヒューズ交換が必要となる。ここで用いているヒューズは電源電圧（２００Ｖ〜４８０Ｖ）、流れる電流が２００Ａ〜４００Ａにも達するため、安全用のカバーが設けられており、通常は手が触れないようになっている。このため、ヒューズ交換して装置が復帰するまでには１時間以上の時間を要する。この間は装置が動作しないため、診断用の画像が得られない。特に、手術中手術を中断せざるえないという問題が生じる。
また、Ｘ線照射中に取得していた画像データがメモリに格納される前に瞬停や停電が発生すると画像データが消失してしまう。
【０００９】
以上より、停電時の装置の保護と停電後の装置の復帰の両者を満たし、かつ、メモリに格納中の画像データの消失を防止することが重要となる。本発明の目的は上記従来技術における課題を解消し、停電時の装置の保護と停電後の装置の早期復帰、および、メモリに格納中の画像データの消失防止を実現する機能を具備するＸ線診断装置を提供することにある。
【００１０】
【課題を解決するための手段】
上記目的は交流電源端子に、電源が供給されている時に導通する遮断器が直列接続され、遮断器には電流制限用交流リアクトルが直列接続され、交流リアクトルには整流かつ昇圧する直流変換回路と、この直流変換回路の出力電圧を高周波の交流に変換するインバータ回路と、このインバータ回路の出力電圧を昇圧する高電圧変圧器と、この高電圧変圧器の出力電圧を整流する高電圧整流回路と、この高電圧整流回路の出力電圧である直流高電圧を高電圧ケーブルを介してＸ線管に印加しＸ線を放射するＸ線高電圧装置において、前記直流変換回路への入力電圧である交流電源が瞬時または長期停電した場合、交流リアクトルに蓄えられていたエネルギーを消費させるために回路ルートを切り替える手段と、回路電流値を制限する制限素子と、エネルギー消費する回路から構成される保護回路により交流リアクトル及び直流変換回路の電力変換用半導体素子を保護する機能を具備することと、直流変換回路に接続された直流電圧を貯えるコンデンサの電圧を前記表示装置の電源部に接続する手段と電流値を制限する制限素子から構成される回路により、取得した画像データの消失を防止する機能を具備することで達成される。
【００１１】
【発明の実施の形態】
以下、図面を参照して本発明の実施例を説明する。
図２は本願に係わるＸ線高電圧装置の構成を示す。
このＸ線高電圧装置は、商用電源を直流に変換するコンバータ回路の出力電圧（直流電圧）をインバータ回路を用いて高周波の交流電源に変換し、その出力電圧を高電圧変圧器で昇圧した後、高電圧整流回路にて整流して直流の高電圧をＸ線管に印加してＸ線を放射するもので、コンバータ回路１と、インバータ回路２と、高電圧変圧器３と高電圧整流回路４と、高電圧ケーブル５と、Ｘ線管６とコンバータ制御回路９及びインバータ制御回路１０等で構成される。
【００１２】
次に上記構成要素のそれぞれの機能について簡単に説明する。上記コンバータ回路１は、直流電圧を供給する装置であり、５０Ｈｚまたは６０Ｈｚの商用の交流電源３０の交流電圧を整流するものである。インバータ回路２は、上記コンバータ回路１から出力された直流電圧を受電して高周波の交流電源に変換すると共に管電圧を制御するものである。高電圧変圧器３は、上記インバータ回路２からの交流電圧を昇圧するものであり、その一次側がインバータ回路２の出力に接続されている。高電圧変圧器３の二次側は２分割されており、出力はそれぞれの高電圧整流回路４ａ、４ｂに接続されている。高電圧整流回路４は高電圧変圧器３で昇圧された高周波高電圧交流を高電圧直流電圧に整流するものであり、入力側は高電圧変圧器３の二次側に接続されている。高電圧整流回路４は２組みが直列接続されており、プラス側の高電圧整流回路４ａのカソード側は高電圧ケーブル５を介してＸ線を放射するＸ線管６の陽極側に、アノード側はアース電位に接続されている。マイナス側の高電圧整流回路４ｂのカソード側はアース電位に、アノード側は高電圧ケーブル５を介してＸ線管６の陰極側に接続されている。さらに、上記コンバータ回路１は、上記交流電源の電圧と電流の位相及びコンバータ回路１の出力電圧の設定値と実際の出力電圧との差に応じて、前記コンバータ回路１のスイッチング素子であるＩＧＢＴ１１，１２，１３，１４，１５，１６をパルス幅変調制御し、前記交流電源の電流と電圧の位相を一致させると同時に、前記コンバータ回路１の出力電圧を前記設定値に一致させるように制御信号Ｓ１を生成するものである。
【００１３】
また、上記インバータ制御回路１０は目標管電圧信号Ｖｋｖと管電圧検出信号Ｖｘｋｖを入力して目標管電圧信号Ｖｋｖと管電圧検出信号Ｖｘｋｖとを比較演算し、上記Ｘ線管６の管電圧が目標管電圧と一致するように制御信号Ｓ２を生成するものである。
【００１４】
なお、２６はインバータ回路２の出力側に挿入された共振用コンデンサで、高電圧変圧器３の漏れインダクタンスの影響で高周波の電流が上記高電圧変圧器３の巻線に十分流れないことを改善する目的で挿入してあり、上記の必要のない場合は挿入しなくてもよい。上記インバータ制御回路１０は、目標管電流信号Ｖｍａと管電流検出信号Ｖｘｍａを入力して目標管電流信号Ｖｍａと管電流検出信号Ｖｘｍａとを比較演算し、上記Ｘ線管６の管電流が目標管電圧と一致するように制御信号Ｓ３を生成するものである。
【００１５】
続いて、コンバータ回路１の動作について詳細について説明する。
図２は３相電源を用いた場合の３相高力率昇圧型コンバータの入力電圧がＵ＞Ｖ＞Ｗのときにおける交流直流変換器の半導体素子のスイッチング状態による電流の流れを説明するための図を示し、以下、図２に基づいて、詳細説明する。
【００１６】
図３に示すように、Ｗ相に接続されたＩＧＢＴ１５がオンとなった場合について説明する。この場合Ｕ相端子とＷ相端子との間の電位差はｅｕ＞ｅｗとなるので、Ｕ相に接続された交流リアクトル、ＩＧＢＴ１１に並列接続されたダイオード、ＩＧＢＴ１５及びＷ相交流リアクトルを介して太線のように短絡電流が流れ、交流リアクトルにエネルギーが蓄えられる。同様にＶ相端子、Ｗ相端子間の正の電位差はｅｖ＞ｅｗとなるので、Ｖ相に接続された交流リアクトル８、ＩＧＢＴ１３に並列接続されたダイオード、ＩＧＢＴ１５及びＷ相交流リアクトルを介して太破線のように短絡電流が流れ、交流リアクトル８にエネルギーが蓄えられる。この後ＩＧＢＴ１５をオフすることにより各交流リアクトル８に蓄えられていたエネルギーはＩＧＢＴ１１，１３に並列接続されたダイオード、コンデンサ１７及びＩＧＢＴ１６に並列接続されたダイオードを介して放出されコンデンサ１７に電圧エネルギーとして充電される。
【００１７】
図４に示すように、Ｕ相に接続されたＩＧＢＴ１２がオンとなった場合にはＵ相端子とＷ相端子との間の電位差はｅｕ＞ｅｗとなるので、Ｕ相に接続された交流リアクトル８，ＩＧＢＴ１２，ＩＧＢＴ１６に並列接続されたダイオード及びＷ相交流リアクトル８を介して太線のように短絡電流が流れ、Ｕ相交流リアクトルとＷ相交流リアクトルにエネルギーが蓄えられる。
【００１８】
また、Ｕ相端子とＶ相端子間の正の電位差ｅｕ＞ｅｖによって、太破線のようにＵ相交流リアクトル８，ＩＧＢＴ１２，ＩＧＢＴ１４に並列接続されたダイオード及びＶ相交流リアクトル８を介して短絡電流が流れ、交流リアクトル８にエネルギーが蓄えられる。この後ＩＧＢＴ１２をオフすることにより、各交流リアクトルに蓄えられていたエネルギーは図３の場合と同様にコンデンサ１７に電圧エネルギーとして充電される。
【００１９】
図５に示すように、Ｖ相に接続されたＩＧＢＴ１３がオンとなった場合について説明する。この場合、Ｕ相端子とＶ相端子との間の電位差はｅｕ＞ｅｖとなるのでＵ相に接続された交流リアクトル８，ＩＧＢＴ１１に並列接続されたダイオード、ＩＧＢＴ１３及びＶ相交流リアクトル８を介して太線のように短絡電流が流れ、交流リアクトル８にエネルギーが蓄えられる。この後ＩＧＢＴ１３をオフすることにより、Ｕ相交流リアクトル８とＶ相交流リアクトル８に蓄えられていたエネルギーはＩＧＢＴ１１に並列接続されたダイオード、コンデンサ１７、ＩＧＢＴ１４に並列接続されたダイオードを介して放出され、コンデンサ１７に電圧エネルギーとして充電される。
【００２０】
図６に示すように、Ｖ相に接続されたＩＧＢＴ１４がオンとなった場合について説明する。この場合、Ｖ相端子とＷ相端子との間の電位差はｅｖ＞ｅｗとなるので、図中太線のようにＶ相に接続された交流リアクトル８，ＩＧＢＴ１４，ＩＧＢＴ１６に並列接続されたダイオード及びＷ相交流リアクトル８を介して短絡電流が流れることで交流リアクトル８にエネルギーが蓄えられる。
【００２１】
この後ＩＧＢＴ１４をオフすることにより、Ｖ相交流リアクトルとＷ相交流リアクトルに蓄えられていたエネルギーはＩＧＢＴ１３に並列接続されたダイオード、コンデンサ１７，ＩＧＢＴ１６に並列接続されたダイオードを介して放出されコンデンサ１７に電圧エネルギーとして充電される。
【００２２】
このように、入力電圧がｅｕ＞ｅｖ＞ｅｗの関係で、ある時間に各ＩＧＢＴ１１−１６をそれぞれオンオフ制御することによって、コンデンサ１７には各相間の電位差によって蓄えられたエネルギーに加え交流リアクトルに蓄えられたエネルギーが充電される。なお、各入力電圧がｅｕ＞ｅｖ＞ｅｗの関係でない場合にもスイッチングによるエネルギー充電の理論は成り立つことが知られている。
これまで述べてきたことは、入力電圧が正常に供給された場合である。
【００２３】
図７に停電時の状態を示す。停電直前にはＵ相交流リアクトルには正方向の電流が、Ｗ相交流リアクトルには負方向の電流流れていたために、Ｕ相とＷ相交流リアクトルにはエネルギーが蓄えられており電流が流れ続けようとする。停電により全てのスイッチング素子がオフ状態になると、電流の流れるルートがなくなり電流が停止する。これに伴ってサージ電圧が発生し、このサージ電圧は交流リアクトルやコンバータの半導体素子を破壊にいたらす。
【００２４】
図１と８と９は本発明の第１の実施例である交流リアクトル電流、コンバータ出力、インバータ出力電流及び停電時の交流リアクトル、コンバータ回路の半導体素子を保護する回路を接続したＸ線高電圧装置の構成を示す。
【００２５】
交流リアクトルに並列接続されているサージ吸収回路７は瞬停時のサージ電圧を吸収するものであり、その効果が得られるのは１ｍｓ程度の瞬停時である。
数ｍｓ以上の停電時に交流リアクトルとコンバータ回路の半導体素子を保護する保護回路３０は３相電源入力端子（Ｕ、Ｖ、Ｗ）に電源電圧が供給されていると導通する遮断器３１、３相電源入力端子（Ｕ、Ｖ、Ｗ）に電源電圧が供給されていないときに導通する遮断器３２、電流制限用素子３３、停電表示用ランプ３４により構成されている。
【００２６】
正常時は遮断器３１がオン、遮断器３２がオフであり、図８のごとく電流が流れている。ここで停電になると、遮断器３１がオフ、遮断器３２がオンして、Ｕ相交流リアクトルに流れていた電流は図９のようにＵ相交流リアクトル、遮断器３２、電流制限素子３３を介して停電表示用ランプ３４に電流が流れ、Ｕ相交流リアクトルのエネルギーが消費されるまで停電表示用ランプ３４が点灯する。電流制限用素子はここでは抵抗を用いており、その値は交流リアクタンス値、電源電圧値、及び停電表示用ランプ３４の定格電流値を考慮し設計する必要がある。
【００２７】
ここで交流リアクタンス値を２００ｕＨ、電源電圧値を２００Ｖとした場合、回路インピーダンスは１００ｍΩ、交流リアクタンスに流れる電流は２００Ａ程度となる。停電表示用ランプ３４の定格電流値が１０Ａの場合、接続すべき抵抗は２Ωで２００Ｗとなる。
このようにすることで交流リアクトルに蓄えられてるエネルギーを消費し、交流リアクトルに蓄えられてるエネルギーにより交流リアクトル及びコンバータ回路を構成する半導体素子の破壊を防ぐことができる。
【００２８】
図１０は本発明の第２の実施例である交流リアクトル電流、コンバータ出力、インバータ出力電流及び停電時の交流リアクトル、コンバータ回路の半導体素子を保護する保護回路を示す。
【００２９】
停電時の交流リアクトルとコンバータ回路の半導体素子を保護する保護回路３０は３相電源入力端子（Ｕ、Ｖ、Ｗ）に電源電圧が供給されていると導通する遮断器３１、３相電源入力端子（Ｕ、Ｖ、Ｗ）に電源電圧が供給されていないときに導通する遮断器３２、電流制限用素子３３、ダイオードのフルブリッジ回路により構成された整流回路３５より構成されている。（Ｖ相、Ｗ相については同様のため省略する）正常時は遮断器３１がオンし遮断器３２がオフであり停電になると、遮断器３１がオフし遮断器３２がオンして、Ｕ相交流リアクトルに流れていた電流は、Ｕ相交流リアクトル、遮断器３２、電流制限素子３３を介して整流回路３５にて直流に変換され、その直流電圧はコンバータ１の制御回路９に入力される。制御回路９は停電時においても、交流リアクトルに蓄えられているエネルギーを変換した電源電圧が供給されているので、全てのスイッング素子を積極的にオフに保つことができ、誤動作によるスイッング素子の破壊を防止できるとともに交流リアクトルの破壊を防ぐことができる。
【００３０】
図１１は本発明の第３の実施例である交流リアクトル電流、コンバータ出力、インバータ出力電流及び停電時の交流リアクトル、単相コンバータ回路の半導体素子を保護する回路を接続したＸ線高電圧装置の構成を示す。
停電時の交流リアクトルとコンバータ回路の半導体素子を保護する保護回路３０は３相電源入力端子（Ｕ、Ｖ）に電源電圧が供給されていると導通する遮断器３１、３相電源入力端子（Ｕ、Ｖ）に電源電圧が供給されていないときに導通する遮断動作は実施例１と同様であり、Ｕ相、もしくはＶ相のどちらかに保護回路を設ければよく、３相電源時より回路構成が簡素なので小型化に有利である。
また、実施例２のように整流器３５をもちいても同様の効果が得られる。
【００３１】
図１２は本発明の第４の実施例のデータ消失防止回路部を示す図である。表示装置４０には交流電圧源が接続されており、画像データを格納するメモリ等の電気部品に電源を供給されている。また、直流変換部１のコンデンサ１７には停電時にオンする遮断器４４と電流制限素子４５が接続され、その出力は表示装置４０に接続されている。
【００３２】
図１３は本発明の第４の実施例のデータ消失防止回路部の詳細を示す図である。正常時は表示装置４０の内部に搭載された電圧源４２には交流電源電圧が供給されており、遮断器４６がオンすることで、メモリ４３には電源は供給されている。瞬停が発生すると、遮断器４６がオフし遮断器４４及び遮断器４７がオンし、直流変換部１に接続されたコンデンサ１７に蓄えられている電圧が電流制限素子４５と電圧調整器４８を介して、メモリ４３に供給される。このように、メモリ４３に画像データを格納している最中に瞬停が発生してもメモリ４３への電源は供給されるので、画像データの消失が防止でき、電源復帰後に再撮影する必要がなくなる。
【００３３】
【発明の効果】
以上説明したように、本発明によれば、交流電源端子に電源が供給されている時に導通する遮断器が直列接続され、遮断器には電流制限用交流リアクトルが直列接続され、交流リアクトルには整流かつ昇圧する直流変換回路と、この直流変換回路の出力電圧を高周波の交流に変換するインバータ回路と、このインバータ回路の出力電圧を昇圧する高電圧変圧器と、この高電圧変圧器の出力電圧を整流する高電圧整流回路と、この高電圧整流回路の出力電圧である直流高電圧を高電圧ケーブルを介してＸ線管に印加しＸ線を放射するＸ線高電圧装置において、直流変換回路への入力電圧である交流電源が瞬時または長期停電した場合、交流リアクトルに蓄えられていたエネルギーを消費させるために、回路ルートを切り替える手段と、回路電流値を制限する制限素子と、エネルギー消費する回路から構成される保護回路により、交流リアクトル及び直流変換回路の電力変換用半導体素子を保護することで、停電時の装置保護と停電後の装置復帰の双方、または、停電時の装置保護と停電後の装置復帰およびメモリに格納中の画像データの消失防止のすべてを実現する機能を具備するＸ線装置を提供できる。
【図面の簡単な説明】
【図１】本発明の第１の実施形態による構成を示す図。
【図２】３相電源時のＸ線高電圧システム構成を示す図。
【図３】コンバータ回路の動作を示す図。
【図４】コンバータ回路の動作を示す図。
【図５】コンバータ回路の動作を示す図。
【図６】コンバータ回路の動作を示す図。
【図７】停電時の一例を示す図。
【図８】本発明の第１の実施形態による保護回路部の詳細を示す図。
【図９】本発明の第１の実施形態による保護回路部の詳細を示す図。
【図１０】本発明の第２の実施形態による保護回路部の詳細を示す図。
【図１１】本発明の第３の実施形態による保護回路部の詳細を示す図。
【図１２】本発明の第４の実施形態によるデータ消失防止回路部を示す図
【図１３】本発明の第４の実施形態によるデータ消失防止回路部の詳細を示す図。
【符号の説明】
１・・・コンバータ回路
２・・・インバータ回路（フルブリッジ型）
３・・・高電圧変圧器
４・・・高電圧整流回路
５・・・高電圧ケーブル
６・・・Ｘ線管
８・・・交流リアクトル
９・・・コンバータ制御回路
１０・・・インバータ制御回路
１１，１２，１３，１４，１５，１６・・・ＩＧＢＴ
１７・・・コンデンサ
２１，２２，２３，２４・・・ＩＧＢＴ
２５・・・電流センサ
２６・・・共振コンデンサ
３０  保護回路部
３１  遮断器
３２  遮断器
３３  電流制限素子
３４  停電表示ランプ
３５  整流器
３６  電流センサ
４０  表示装置
４１  画像データ格納部
４２  電源
４３  メモリ
４４  遮断器
４５  電流制限素子
４６  遮断器
４７  遮断器
４８  電圧調整器
５０  管電流制御回路
【図１】
2004241288.tif 000003
【図２】
2004241288.tif 000004
【図３】
2004241288.tif 000005
【図４】
2004241288.tif 000006
【図５】
2004241288.tif 000007
【図６】
2004241288.tif 000008
【図７】
2004241288.tif 000009
【図８】
2004241288.tif 000010
【図９】
2004241288.tif 000011
【図１０】
2004241288.tif 000012
【図１１】
2004241288.tif 000013
【図１２】
2004241288.tif 000014
【図１３】
2004241288.tif 000015